(57)【要約】  塗布具により塗布された化粧品の化粧落としまたは化粧直しの何れかで使用される好都合な手段を提供する。塗布具は、使用者へ化粧品を塗布するための塗布ユニット；１つの端で塗布ユニットへ接続している棒；棒の他の端で棒へ接続し、使用者による使用のための化粧材を保持するための空洞からなる筐体からなる。この場合、化粧品は、例えばマスカラまたはリップグロスであり、化粧材は、例えばコットンスワブまたはワイプである。また、筐体の上に配置されしかも開口を有する筒軸をさらに含み、筐体が開口を含み、該筐体の開口は、筐体の開口が筒軸の開口と一致したとき、使用者へ空洞から化粧品を渡すためのものである。【選択図】図１
2010502392.tif 000002
【特許請求の範囲】
【請求項１】
使用者に第１の化粧材を塗布するための塗布ユニット；
１つの端で塗布ユニットへ接続している細い棒；
細い棒に細い棒の他の端で接続し、使用者による使用のための第２の化粧材を保持する空洞からなる筐体
からなることを特徴とする塗布具。
【請求項２】
第２の化粧材が使い捨てワイプである請求項１の塗布具。
【請求項３】
筐体が、筐体を密閉するための筐体を横切るパネルを含み、該パネルは、使用者へ空洞から該化粧材を渡すための開口を含む請求項２の塗布具。
【請求項４】
筐体の上に配置されしかも開口を有する筒軸をさらに含み、
筐体が開口を含み、該筐体の開口は、筐体の開口が筒軸の開口と一致したとき、使用者へ空洞から該化粧材を渡すためのものである請求項２の塗布具。
【請求項５】
筐体が作動ユニットを含み、空洞が化粧材を保有し、作動ユニットが使用者に届く範囲に化粧材を導く請求項１の塗布具。
【請求項６】
第２の化粧材がコットンスワブであり、作動ユニットがコットンスワブの軸を保持するための把手を含む請求項５の塗布具。
【請求項７】
第２の化粧材がパッドであり、作動ユニットがパッドを移動するための押し上げ具を含む請求項５の塗布具。
【請求項８】
筐体が空洞を閉じるための蓋を含む請求項１の塗布具。
【請求項９】
使用者へ第１の化粧材を塗布するための塗布ユニット；
塗布ユニットに適合し、使用者により使用される第２の化粧材を保有するための化粧材保有用空洞を含む筐体
からなることを特徴とする塗布具。
【請求項１０】
筐体が作動ユニットを含み、空洞が化粧材を保有し、作動ユニットが使用者に届く範囲に化粧材を導く請求項９の塗布具。
【請求項１１】
使用者が第１の化粧材を塗布するための塗布ユニット；
１つの端で塗布ユニットへ接続した細い棒；
細い棒の他の端へ接続した取付台を含み、さらに取付台を含む下方の本体部分と、使用者により使用されるための第２の化粧材を保有するための空洞を含む上方の本体部分とに本体を分ける仕切りを含む筐体
からなることを特徴とする塗布具。
【発明の詳細な説明】
【技術分野】
【０００１】
本発明は、使用者の身体へ化粧品を塗布するのに有用な塗布具の筐体に関し、特に追加の化粧品を使用者が使用できる筐体に関する。
【背景技術】
【０００２】
化粧用塗布具（「塗布具」）は、使用者の身体上へ化粧品を塗布する。塗布具は、典型的な例として、２つの構造上のタイプから形成される。第１のタイプでは、塗布具は、棒（ｒｏｄ）および／または細い棒（ｗａｎｄ）（「細い棒」）を経て把柄へ結合した塗布ユニットを含む。使用者は、把柄で塗布具を保持し、化粧品を塗布する。１つの例は、マスカラブラッシュ（「マスカラ塗布具」）であり、それは、把柄中に埋め込まれた棒を経て取り付けられたブラッシュすなわち塗布ユニットを含む。他の例は、リップグロス塗布具（「リップグロス塗布具」）であり、細い棒が把柄へスワブブラッシュすなわち塗布ユニットを結合する。
【０００３】
第２のタイプでは、塗布具は、実際には把柄そのものである塗布ユニットを含み、取り外し可能なキャップは、収納中の塗布ユニットを保護する。このタイプの塗布具の１つの例は、円筒状のリップライナーペンシルである。
【０００４】
塗布具を使用する経験の豊富な使用者でも、直しが必要な誤りを冒す。使用者は、家庭にいるときには、このような直しを容易に行うことができる。それは、誤りを直すための多くの補助的な化粧品（「化粧材」）が手近にあるからである。例えば、化粧棚にあるコットンスワブ、またはティッシュボックスに容易に利用できるように入っているティッシュが、彼女の手の届くところにある。しかし、使用者が家庭にいないとき、彼女は、必要なときに使用できるようにこのような品々を持ち歩かねばならない。
【０００５】
小分け包装すなわち旅行用包装または財布用の包装は知られているが、補助的な化粧品は大きな量で提供されており、すなわちその量は、典型的な例では、塗布具の使用可能期間中用いることができる量を超える。従って、使用者は量を減らそうとするが、うまくいかない。
【０００６】
その上、化粧材が、必要な目的に最も良く適しているとは限らない。そのため、使用者は、好ましい結果を達成するために化粧落としに適した過剰な量の多くのタイプの追加の品々を持ち歩くか、またはこのような品々がないとき望ましくない結果を得るかの何れかを行うことになる。
【０００７】
当然のこととして、もちろん、塗布具を使用して使用者によって塗布される化粧を、より良くしようとして化粧材が必要な場合、同様な問題が生ずることを理解すべきである。その場合、使用者は、適当な量よりむしろ余分の量を持ち運ぶか、または好ましい結果を実際にもたらさない材料を使用するか、またはこれら両者を行うことを余儀なくさせる。
【０００８】
そのため、望まれることは、化粧落としまたは化粧直しの何れかで、塗布具により塗布される化粧品の化粧を向上させる化粧材に適合する手段である。また、望まれることは、化粧材が、好ましくは塗布具にとり好適な量で提供されることである。
【発明の概要】
【発明が解決しようとする課題】
【０００９】
これらまたは他の要求は、本発明の塗布具用の筐体により満たされる。本発明の筐体は、塗布具の把柄またはキャップ中で利用できるかなりの空間を有し、そして塗布具に関する使用者の経験を増す化粧材が提供されるようにする。
【課題を解決するための手段】
【００１０】
本発明の塗布具は、使用者へ第１の化粧材（いわゆる化粧品例えばマスカラ、リップグロスなど）を塗布するための塗布ユニット、および使用者により使用される第２の化粧材（いわゆる化粧材例えばコットンスワブ、ワイプ、ティッシュなど）を保持する空洞を含む筐体からなる。作動ユニットが使用されて、第２の化粧材が使用者に届く範囲に置かれる。その上、本発明の１つの態様によれば、第２の化粧材は、塗布具の化粧品を特に処理するように選ばれる。
【図面の簡単な説明】
【００１１】
【図１】本発明の１つの態様による本発明の筐体からなる第１の構造のタイプの塗布具の一部の等角図である。
【図２−Ａ】本発明の１つの態様による本発明の筐体からなる第２の構造のタイプの塗布具の一部の等角図である。
【図２−Ｂ】図２Ａの本発明の筐体の断面図である。
【図３】Ａは、図１の本発明の筐体の簡略化した断面図である。Ｂは、図１の本発明の筐体へ結合した細い棒の別の態様である。
【図４】図１の本発明の筐体の側面図である。
【図５】本発明の他の態様による第１の操作状態の本発明の筐体を有する塗布具の一部の等角図である。
【図６】本発明の他の態様による第２の操作状態の本発明の筐体を有する塗布具の一部の等角図である。
【図７】図５の簡略化した断面図である。
【図８】Ａは、図５の塗布具の化粧材の改変した等角図である。Ｂは、複数の緩衝材をえがいた図８Ａの化粧材のない等角図である。
【図９】本発明の他の態様による本発明の筐体からなる塗布具の一部の等角図である。
【図１０】図９の塗布具の一部の簡略化した断面図である。
【図１１】図９の塗布具の一部の等角断面図である。
【図１２】本発明の他の態様による次の化粧材に関して前のものを折り畳むことにより飛び出し式（ポップアップ）のワイプまたはシートとして供給される化粧材を使用する本発明の筐体からなる塗布具の一部の等角図である。
【図１３】本発明の他の態様による次の化粧材に関して前のものを折り畳むことにより飛び出し式のワイプまたはシートとして供給される化粧材を使用する本発明の筐体からなる塗布具の一部の簡略化した等角図である。
【図１４】図１３の筐体の簡略化した断面図である。
【図１５】図１３の本発明の筐体の成分の詳細な図である。
【図１６】本発明の他の態様による本発明の筐体を有する塗布具の一部の等角図である。
【発明を実施するための形態】
【００１２】
図面に画かれている本発明のいくつかの態様について、以下に詳細に説明される。可能な限り、同じまたは類似の参照番号が、同じまたは類似の成分または工程を示すために、図面および記述で使用される。図面は簡略化した形であり、そして正確なスケールではない。ただ都合の良さおよび明瞭さのみのために、方向を示す用語例えば頂部、底、左、右、上方、下方、下、後および前が図面について使用される。これらおよび同様な方向を示す用語は、本発明の範囲を制限すると決して考えてはならない。語句「取り付け」、「接続」、「結合」および屈折のある形態素を有する同様な用語は、必ずしも直接的な接続を示すものではなく、媒介する要素または器具を経る接続をも含む。
【００１３】
図１および２は、前記の第１および第２の構造上のタイプを有する塗布具であり、それぞれは、本発明の筐体を含む。
それらのなかで、図１は、本発明の１つの態様による本発明の筐体からなる第１の構造上のタイプの塗布具の一部の等角図である。塗布具１０は、塗布ユニット１２および棒または細い棒（「細い棒」）１４を含み、後者は、把柄として使用できる筐体１６へ塗布ユニットを接続する。筐体１６は、筐体成分中に１つ以上の化粧材２０を納めるための空洞１８を含む。
【００１４】
使用していない場合には、バイアルは、典型的な例では、塗布ユニット１２および細い棒１４を保有して、塗布ユニットおよび／または細い棒を収納し保護する。バイアルは、化粧品例えばマスカラまたはグロスを保持する。塗布具を使用するために、使用者は、塗布ユニットの少なくとも一部をバイアル中に浸して、化粧品を塗布ユニットに移し、次にこの化粧品を身体に塗る。その場合、塗布具は、マスカラを塗るにはブラッシュの形状をとるが、リップグロスなどを塗るには柔らかい塗布具を用いる。もちろん、他の形も使用できる。
【００１５】
図２Ａは、本発明の１つの態様による本発明の筐体からなる第２の構造上のタイプの塗布具の等角図である。図２Ｂは、密着嵌め合い成分を示す図２の本発明の筐体の簡略化した断面図である。塗布具４０は、ペンシルの形状をとり、化粧品を含む塗布ユニット４２を含む。塗布具は、さらに塗布ユニットを取り扱うのに使用される保持部分４４を含む。
【００１６】
典型的な例として、キャップ（図示せず）中の密着嵌め合い成分例えば断面積の小さい領域は、塗布ユニットおよび保持部分の隣接する部分を保有する。本発明では、本発明の筐体４６は、塗布ユニットおよび保持部分の隣接する部分を保有して、塗布ユニットの保護および／または収納を行う。筐体４６は、筐体中に１つ以上の化粧材２０を収納するための空洞１８、および密着嵌め合い成分４１からなる。
【００１７】
密着嵌め合い成分４１は、保持部分の形状に適合する複数の部分４１ａ（図２Ｂ）を含む。仕切り４３が筐体中に設けられて、塗布ユニットから空洞を分ける。有利なことには、仕切りは、空洞の容積を最大にする形状を有し、そのため、例えば塗布ユニットに十分な空間をもたらすために平らな面ではない。
【００１８】
使用にあたり、使用者は筐体４６を取り外して、塗布ユニットを露出させそして化粧品を塗布する。その場合、塗布ユニットは、カラリングチップであったり、塗布具はアイライナーまたはリップライナーであったりする。
【００１９】
何れの場合でも、使用者が化粧品の不適当なまたは誤った塗布を直そうとするとき、使用者は、本発明の筐体１６，４６から１つ以上の化粧材２０を選ぶことができる。それゆえ、本発明の筐体の構造が、塗布具のタイプに関係なく実質的に同じであり、そして第１の構造上のタイプの塗布具に関する本発明の筐体の以下の記述が、上記の詳細に関して改変されて、第２の構造上のタイプの塗布具に関する本発明の筐体を記述することを理解すべきである。
【００２０】
図１に戻り、塗布具１０の詳細が以下に説明される。筐体１６は本体部分２２を含み、そして本体部分２２へ蝶番２６（例えば、一体（ｌｉｖｉｎｇ）蝶番を用いることができる）により結合された蓋２４を含むことができる。蓋は、好ましくは、蓋を容易に開けることを助ける指かけ突起（ｆｉｎｇｅｒ  ｐｒｙ）を含む。
【００２１】
筐体１６は、任意の断面の形状を有するような形を有するか、またはより詳細に、塗布ユニットに適用される製品に適する断面の形状を有するような形を有する。従って、マスカラ塗布具では、本体部分２２の外部が円筒状の表面を有するように、円形の断面の形状を必要とする。リップグロス塗布具では、矩形の断面の形状を有し、そのため、本体部分２２の外部は箱状の表面を有する。
【００２２】
蓋の断面の周辺は、蓋の縁２４ａが本体部分の縁２２ａとほぼ接するように、本体部分２２の断面の周辺と適合する形にされる。
筐体１６は、また指で把持する部分３０を含むことができ、それにより、使用者は塗布具１０をさらに容易に扱うことができる。
【００２３】
好ましくは、筐体１６は、任意の好適な大きさを有する。例えば、筐体は、０.６３０インチ（約１.６ｃｍ）の直径を有することができ、それは業界において標準的なものと思われる。化粧品は、また任意の好適な大きさを有することができる。例えば、スワブとしての化粧品は、直径０.０６０インチ（約０.１５ｃｍ）の軸、直径０.１１５インチ（約０.２９ｃｍ）のスワブおよび全体の長さ１.５インチ（約３.８ｃｍ）を有することができる。化粧品は、０.０５０−０.０７５インチ（約０.１３−０.１９ｃｍ）の直径の軸、直径０.１００−０.１４０インチ（約０.２５−０.３６ｃｍ）のスワブの範囲、全体の長さ１.０−１.５インチ（約２.５−３.８ｃｍ）の範囲を有することができる。
図３は、図１の本発明の筐体の簡略化した断面である。筐体１６は、塗布具１０がバイアル（図示せず）に確保できるように、ねじすじ３２を含む。
【００２４】
細い棒１４は、仕切り３４と一体化し、そして本体部分２２の内部に確保された筐体１６へ結合される。その場合、細い棒は、仕切りへ接着剤による接着、熱処理または超音波溶接をされるか、または確保する何らかの他の手段により筐体中に剛く配置され、使用者は化粧品を塗布することができる。
【００２５】
空洞１８は、仕切り３４と縁２２ａとの間で本体部分２２中につくられる空間により少なくとも画成される。その場合、仕切り３４は、平面であるか、または空洞１８の空間を好適に最大にする形状および／または位置を有する。例えば、もしねじすじ３２が必要でないならば、仕切り３４は、このようなねじすじが必要なときよりも縁２２ａから離れて配置できる。他の例では、仕切り３４は、図４について教示されているように、平面ではない表面を有することもできる。
【００２６】
蓋２４は、端壁部２４ｂを含む形状を有し、それは、有利には、特別な物品が容易に選択できるように化粧品２０の遠い部分を露出させる。
蓋２４は、さらに、空洞１８ａが端壁部に沿って画成される空間中によりそして屋根状部と縁２４ａとの間に形成されるように、ドーム状または他の非平面状の屋根状部２４ｃを含むことができる。空洞１８ａは、空洞１８の容積を増加するようにすることができる。
【００２７】
図４は、図１の本発明の筐体の側面図である。化粧材２０は、例えば、使用者の身繕いに有用な任意の物品、例えばコットンスワブすなわち綿棒である。他の態様について教示されているように、化粧材は、またウェットまたはドライのワイプ、または他の好適な天然または人工の物品例えばコットンボール、ティッシュなどでもある。
【００２８】
１つの態様では、化粧材２０は、コットンスワブすなわち綿棒例えばＱ−ＴＩＰ（商標）ブランドの製品である。コットンスワブは、１つまたは２つの綿棒を有する形にでき、好ましくは空洞１８中に収納するのに好適な担持長さを有する。
【００２９】
図５−８は、本発明のさらなる態様を示す。それらのなかで、図５は、本発明のさらなる態様による第１の操作状態における本発明の筐体を有する塗布具の一部の等角図である。図６は、本発明のさらなる態様による第２の操作状態における本発明の筐体を有する塗布具の一部の等角図である。図７は、図５の簡略化した断面図である。図８Ａは、図５の塗布具における化粧材の改変された等角図である。図８Ｂは、複数の緩衝材を画いた図８Ａの化粧材なしの線図である。
【００３０】
本発明の筐体６０は、第１の構造上のタイプの塗布具１０ａ中における把柄として、または第２の構造上のタイプの塗布具中でキャップとして使用するのに好適なサイズおよび形状を有する。従って、筐体６０は、円筒状、十面体状または任意の他の形状をとることができ、円筒状が好ましくは使用される。
【００３１】
筐体は、本体６２および蓋６４を含む。蓋６４は、本体部分６２から取り外し可能であるか、または例えば一体蝶番を経て本体６２へ蝶番づけされる。蓋６４は、好ましくは、１つ以上の直立状に形成された壁部６４ｃにより生ずる縁６４ｂ上に配置された指かけ突起６４ａを含む。壁部６４ｃおよび好ましくはドーム状に形成される屋根状部６４ｄは、蓋中に空洞６４ｃを形成する。
【００３２】
横方向の仕切り６６は、本体を下方の本体部分６２ａと上方の本体部分６２ｂとに分割する。
細い棒が多数のやり方で本体へ結合できることを理解すべきである。図３Ｂは、図１の本発明の筐体へ結合される細い棒の別の態様である。細い棒１４は、棒の頭部１４ａと一体に形成できる。棒の頭部および細い棒は、バイアルと結合するために、もしそのことが必要ならば、予め形成されたねじすじ３２を含む本体中へ圧入および／または接着が行われる。その場合、仕切りは、仕切り１４ｂのように棒の頭部であってもよい。
【００３３】
本発明のさらなる態様によれば、細い棒は、バイアルと結合するために、もしそのように望まれるならば、ねじすじを含む棒の頭部と一体に形成できる。棒の頭部および細い棒は、その場合、本体中へ圧入および／または接着が行われる。その場合、仕切りは棒の頭部の頂部にある。
【００３４】
第１の構造上のタイプの塗布具では、取付台６７は、好ましくは、仕切り中に一体で形成され、そして下方の本体部分に突き出す。塗布ユニット１２を有する細い棒１４は、取付台の上に圧入されて耐久性のある接続をする。
【００３５】
第１の構造上のタイプの塗布具のバイアルと本発明の筐体６０とを結合するために、ねじすじ６３が筐体６０の内部に設けられる。別の方法では、バイアルと筐体とを結合する他の手段例えばスナップ嵌合を筐体６０中に設けることができる。
【００３６】
第２の構造上のタイプの塗布具では、下方の本体部分６２ａは、使用者が塗布具の一部を筐体６０中に配置するために、密着嵌め合い部品例えば部品４１（図２Ｂ）を含む。
塗布具のタイプに関係なく、本発明の筐体６０は空洞６８を含む。空洞６８は、仕切り６６と本体６２の上部の縁６２ｃとの間の上部の本体部分に形成される空間により少なくとも画成される。本体６２は、また指かけ６２ｄを含むことができ、それは、空洞６８の空間を減らす本体６２におけるくぼみとして形成される。
【００３７】
筐体６０は、さらに駆動子７０を含む。駆動子７０は、触知できるユニット７０ａ（外部の本体６２上のスライドボタンなどとして形成される）および本体６２の内部に配置された把手７０ｂからなる。触知できるユニットおよび把手は、ともに剛く結合される。
【００３８】
当業者にとり周知であるように、触知できるユニット７０は、触知できるユニット７０ａの下面に結合された単一の板または割板のデザインの何れかの重ね板ばねを有することができる。従って、ばねは本体６２の外側に対して張力をかけ、そして本体の内側に対して把手の一部を押して駆動子の望ましくない動きに摩擦により抵抗する。望まれるならば、駆動子７０は、ガイド７２中を移動して、蓋に設けられた開口７６を経て化粧材７４を上げる。
【００３９】
使用にあたって、１つ以上の化粧材７４好ましくは化粧材のパックは、蓋６４を開けることにより空洞６８中へ挿入される。化粧材７４は、例えばコットンスワブ、すなわち軸の一方またはその両方に綿部を有する綿棒である。化粧材は、また別の化粧材などをコーティングしたものであってもよい。化粧材は、さらに任意の形状の人工の物品であってもよいが、好ましくは吸収剤がそれに結合している縦方向の要素を有するものである。
【００４０】
化粧材のサイズは、空洞６８に適合するように選ぶことができ、また蓋中の空洞６４ｃを利用できる。
使用にあたって、使用者は、塗布具１０ａを用いて化粧品を身体へ塗布する。不適当なまたは誤った塗布がされたとき、使用者は、触知できるユニット７０ａを押すことにより駆動子７０を使用してばねの張力を減らし、そして化粧材の１つが限界まで上げられる（図６に示されるように）まで、駆動子はガイドを移動する。
【００４１】
図８Ａは、図５の塗布具中の化粧材の改変された等角図である。図８Ｂは、複数の緩衝材を画いた図８Ａの化粧材のない線図である。把手７０ｂは、化粧材を保持し上げることができる。そこへ、例えば、把手７０ｂは、その軸により化粧材と係合できる切欠７０ｃを含む。従って、好ましくは、把手７０ｂおよび／または切欠７０ｃが、開口７６を経て上げられる部分から離れた部分で軸と係合するように、ガイドの端部分が配置される。しかし、端部分の位置は、都合の良い係合を可能にしそして最初に係合するとき化粧品が傾くのを防ぐ。
【００４２】
化粧材を把手７０ｂおよび／または切欠７０ｃへ導くために、１つ以上の緩衝材７８が、上方の本体部分６２ｂの内部に配置される。緩衝材は、好ましくは可撓性でありそして金属またはプラスッチクのばねである。緩衝材は、上方の本体部分の内部の側面へ恒久的に結合される。緩衝材は、好ましくは、損傷させることなく化粧材を押しそして化粧材を把手７０ｂおよび／または切欠７０ｃへ導くように配置される。複数の緩衝材７８は、空洞６８に化粧材がないとき（図８Ｂに示されるように）、把手７０ｂおよび／または切欠７０ｃの領域を除いて、互いに重なる。そのため、複数の緩衝材は、化粧材を導きうるように異なる高さに配置される。
【００４３】
別の態様では、１つ以上の化粧材７４は、容易な挿入および／または空洞６８中の詰め替えのためにコイル状に配置される弾帯状の形で供給される。把手７０ｂおよび／または切欠７０ｃは、弾帯状の化粧材の１つと係合し、そして化粧材を上げたとき、弾帯から化粧材を分離する。そのため、複数の化粧材７４は、切断可能なテープを使用して弾帯に結合しそして駆動子７０の係合を容易にするために互いに離れている。
【００４４】
図９−１１は、本発明の他の態様を画いている。そこで、図９は、本発明のさらなる態様による本発明の筐体からなる塗布具の一部の等角図である。図１１は、図９の塗布具の一部の簡略化した断面図である。図１１は、図９の塗布具の一部の等角断面図である。
【００４５】
本発明の筐体である筐体８０は、第１の構造上のタイプの塗布具１０ｂにおける把柄としてまたは第２の構造上のタイプの塗布具におけるキャップとして使用するのに適したサイズおよび形状を有する。従って、筐体８０は、円筒状、十面体状または任意の他の形状である。
【００４６】
筐体は、本体８２および蓋８４を含む。蓋８４は、本体部分８２から取り外し可能であるか、または例えば一体蝶番８５を経て本体８２へ蝶番付けされる。蓋８４は、好ましくは、直立状に形成できる１つ以上の壁部によりつくられる縁８４ｂ上に配置される指かけ突起８４ａを含む。壁部８４ｃおよび好ましくはドーム状に形成される屋根状部８４ｄは、蓋に空洞８４ｅを生ずる。
【００４７】
横方向の仕切り８６は、本体を下方の本体部分８２ａと上方の本体部分８２ｂとに分ける。
細い棒は多くの方法で本体へ結合できることは理解されるべきである。本発明の１つの態様によれば、細い棒は、図３Ｂにおいて教示したように、棒の頭部と一体に形成できる。棒の頭部および細い棒は、次にバイアルと結合するために、もしそのように要求されるならば、予め形成されたねじすじを含む本体中へ圧入および／または接着される。その場合、仕切りは、棒の頭部の頂部である。
【００４８】
本発明のさらなる態様によれば、細い棒は、バイアルと結合するために、もしそのように要求されるならば、ねじすじを含む棒の頭部と一体になって形成できる。棒の頭部および細い棒は、次に本体中へ圧入および／または接着される。その場合、仕切りは、棒の頭部の頂部である。
【００４９】
第１の構造上のタイプの塗布具では、取付台８７は、好ましくは、仕切りと一体になって形成されそして下方の本体部分に突き出す。塗布ユニット１２を有する細い棒１４は、取付台上に圧入されて耐久性のある接続を形成する。
【００５０】
第１の構造上のタイプの塗布具のバイアルと本発明の筐体８０とを結合するために、ねじすじ８３は、筐体８０の内部の上に設けられる。別の態様では、バイアルと筐体とを結合するための他の手段例えばスナップ嵌合が、筐体８０内に設けられる。
第２の構造上のタイプの塗布具において、下方の本体部分８２ａは、使用者が筐体８０中に塗布具の一部を配置するために、密着嵌め合い部品例えば部品４１（図２Ｂ）を含む。
【００５１】
塗布具のタイプに関係なく、本発明の筐体８０は空洞８８を含む。本体８２は、また指かけ８２ｄを含み、それは、空洞８８の空間を減らす本体８２のくぼみとして形成される。
筐体８０は、さらにパネル９０を含む。パネル９０は、縁８２ｃでまたはそれに近く本体８２へ横切って配置され、そして上方の本体部分の内部の空間を外部から閉じる。そのため、空洞８８は、仕切り８６とパネル９０との間の上方の本体部分で生ずる空間によって少なくとも画成される。
【００５２】
パネル９０は、好ましくは、本体８２から取り外し可能であり、好ましくは使い捨てワイプとして形成される化粧材９４の１つ以上の挿入を可能にする。その場合、複数の化粧材９４は、当業者に周知のように、飛び出し式のパックとして（パック９４ａ）、または前のものが次の物品に対して折り畳むこと（その場合、初めの化粧材が下から次の化粧材を引き出す）によるシートとして供給される化粧材として配置される。
【００５３】
化粧材９４は、またコイル状に配置されそして一連の間隔のあいた切り取り点線により分離可能である。
化粧材には、また好ましくは、例えば抗菌剤、イオン性またはアニオン性の界面活性剤などを含浸して、有用性の可能性を増すことができる。
【００５４】
含浸剤が蒸発する可能性をできる限り減らすために、十字のパターンにより４分の１の扇形にされたパネル９０の複数の部分が撓んで化粧材が取り出されるように、パネル９０に可能な限り小さい十字のパターンの開口９２を設ける。
【００５５】
使用にあたって、１つ以上の化粧材９４好ましくは複数の化粧材のパックが、蓋８４を開けそしてパネル９０を取り出すことにより空洞８８中へ挿入される。蓋が閉じられた後、使用者は塗布具１０ｂを使用して化粧品を身体へ塗布する。不適当なまたは誤った塗布がされたとき、使用者は化粧材９４を用いて直す。
【００５６】
図１２は、本発明のさらなる態様による次の化粧材に対して前のものを折り畳むことによって、飛び出し式のワイプまたはシートとして供給される化粧材を使用する本発明の筐体からなる塗布具の一部の等角図である。その場合、筐体１００は、細い棒またはペンシル塗布具を結合するために必要な域を除いて、蓋１０２とともに実質的に本体の内部の空間全体に空洞を形成する中空の本体１０１を含む。
【００５７】
次の化粧材に対して前のものを折り畳むことによって、飛び出し式のワイプまたはシートとして供給される化粧材として形成される複数の化粧材１０４が、筐体中に配置される。このようなワイプは、好ましくは、初めのワイプが取り出されると次のワイプが取り出されるべき位置へ進むように、当業者に周知の如く準備される。
【００５８】
好ましくは、化粧材のサイズは都合の良いように決められ、そして化粧材は、使用者にとり好都合な材料からつくられる。例えば、ワイプは、マスカラおよび／またはメーキャップを有効に取り去る材料から作られる。ワイプは、また使用者にとり好都合な剤を含浸することができる。例えば、イソプロパノールまたはエタノールすなわちＳＤアルコールのような清浄剤が利用できる。含浸材料はワイプに過剰に用いられ、筐体内に導入されたとき、ワイプに含浸材が可能な限り維持される。
【００５９】
蓋１０２は、端１０２ａを含み、その端は、端に近い本体の周縁と係合して、もしそのことが必要ならば含浸材料を維持するか、または化粧品を保護し確実に収納するか、またはその両者を行うために漏れのない閉鎖を好ましくは形成する。
【００６０】
蓋１０２は、さらに、化粧材がそれを通って取り出しうる開口１０２ｂを含む。含浸材料が蒸発する可能性を減らすために、開口は、蓋の４分の１の扇形の間の十字のパターンの空所として形成されうる最小の孔である。４分の１の扇形は、好ましくは撓んで、化粧品を取り出すことができる。
【００６１】
蓋１０２は、さらに、開口１０２ｂを密閉し漏れのないシール１０２ｃを含む。例えば、シールは、垂直に接する壁部を有する平面の域からなる。壁部が開口１０２ｂの内側に適合しつつシールが開口１０２ｂの周縁の上に被さるように、壁部は、周縁に対して内側（シールの中心に向かって）に設けられる。シール１０２ｃは、好ましくは革ひも１０２ｄにより端へ接続される。
【００６２】
使用の際、使用者がシールを取り外すと、化粧材は直ぐに使用可能になる。使用者がその化粧材を取り出すと、次の化粧材が次の取り出しのための位置へ引き上げられる。好ましくは、使用者は、次にシールにより筐体１００を密閉する。
【００６３】
図１３は、本発明のさらなる態様による次の化粧材に対して前のものを折り畳むことによってポップアップワイプまたはシートとして供給される化粧材を使用するための本発明の筐体からなる塗布具の一部の簡略化した等角図である。図１４は、図１３の筐体の簡略化した断面図である。図１５は、図１３の本発明の筐体の部品の詳細図である。
【００６４】
本発明の筐体１２０は、第１の構造上のタイプの塗布具１０ｃにおける把柄として、または第２のタイプの塗布具のキャップとして使用するのに好適なサイズおよび形状を有する。
筐体は本体１２２および蓋１２４を有する。蓋は、前述したように、本体から取り外すことができるか（図示せず）、または例えば一体蝶番を使用して本体へ蝶番付けされる。蓋１２４は、蓋６４に実質的に類似している。
【００６５】
横方向の仕切りは、本体を下方の本体部分１２２ａと上方の本体部分１２２ｂとに分ける仕切り１２６を含む。
細い棒が多くの方法で本体へ結合できることを理解すべきである。本発明の１つの態様によれば、細い棒は、棒の頭部と一体になって形成できる。棒の頭部および細い棒は、本体中へ圧入および／または接着され、本体は、バイアルと結合するために、もしそのことが必要ならば、予め形成されたねじすじを含む。この場合、仕切りは棒の頭部の頂部にある。
【００６６】
本発明のさらなる態様によれば、細い棒は、バイアルと結合するために、もしそのことが必要ならば、ねじすじを含む棒の頭部と一体になって形成される。棒の頭部および細い棒は、本体へ圧入および／または接着される。その場合、仕切りは棒の頭部の頂部にある。
【００６７】
第１の構造上のタイプの塗布具では、取付台１２７は、好ましくは、仕切りと一体になって形成されそして下方の本体部分へ突き出す。塗布ユニットを有する細い棒１４は、取付台へ圧入されて耐久性のある接続を生ずる。
第２の構造上のタイプの塗布具では、下方の本体部分１２２ａは、使用者が筐体１２０中に塗布具の一部を配置するために、密着嵌め合い部品例えば部品４１（図２Ｂ）を含む。
【００６８】
塗布具のタイプに関係なく、本発明の筐体１２０は空洞１２８を含む。空洞１２８は、仕切り１２６と本体１２２の上部の縁１２２ｃとの間で上方の本体部分に生ずる空間により少なくとも画成される。本体１２２は、また指かけ（図示せず）を含み、それは、空洞の容積を減らす本体のくぼみとして形成できる。
【００６９】
上方の本体部分１２２ｂは、１つ以上の化粧材１３０が使用者により取り出されるように、適当なサイズ、形状および位置を有する。１つの好適な形状は、塗布具の縦軸に平行な主軸を有する楕円形である。その場合、開口の好適な位置は、縁１２２ｃと仕切りとの間で等間隔であることである。
【００７０】
化粧材１３０は、好ましくは、次の化粧材に対して前のものを折り畳むことによりシートとして供給されるワイプとして形成される。化粧材は、事実、開口より大きく、そして好ましくはそれらが取り出されるように可撓性である。
【００７１】
筐体１２０は、さらに開口１３４ａを有する筒軸１３４からなる。筒軸は、筐体１２２のそれぞれの溝１３６を受容して、筒軸を溝に保有しそして本体に対して回転可能にする１つ以上のベアリングを含む。従って、好ましくは、筒軸および本体は、円形の横断面を有する。その場合、筒軸は、好ましくは、筒軸と本体との空間が緊密に嵌合するために最小であるように、本体よりも僅かに大きな直径を有する。
【００７２】
開口１３４ａのサイズは、好ましくは、開口１３２のサイズに合うようなものである。開口は、筒軸上に都合が良い任意の位置にある。しかし、特に好適なのは、開口１３２の位置に適合しそしてまたそれに近いサイズを有する。
【００７３】
使用前に、化粧材は、蓋を開け次に蓋を閉めることにより空洞１２８に挿入される。好ましくは、化粧材は、パック１３０ａ中に準備される。パックは、当業者に周知である折り畳む配置からなっており、一番上の化粧材が開口１３２を経て取り出されるとき、次の化粧材は、次いで取り出されるように配置される。その場合、初めのワイプが開口に配置された後、次のワイプもそれぞれ開口に配置されるのが好ましい。
【００７４】
使用にあたって、使用者が化粧材１３０を使用することを望んだとき、使用者は、筒軸を本体の開口に適合または殆ど適合させそして筐体から化粧材を引き出すように、筒軸を単に回すだけでよい。好ましくは、上記のように、次の化粧材は開口へ進むことになる。新しい化粧材を保護および／または収納するために、使用者は、次に筒軸を回して、筒軸が開口および今露出した化粧材をカバーするようにする。これを助けるために、開口１３４のすべての縁は面取りされて、化粧品が不適切に引っかかるのを防ぐ。
【００７５】
図１６は、本発明のさらなる態様によるパッドを使用する本発明の筐体を有する塗布具の一部の等角図である。本発明の筐体である筐体１４０は、第１の構造上のタイプの塗布具１０ｄにおいて把柄として、または第２の構造上のタイプの塗布具においてキャップとして使用するのに適したサイズおよび形状を有する。従って、筐体１４０は、円筒状、十面体状または任意の他の形状をとることができるが、円筒状が好ましくは使用される。
【００７６】
筐体は、本体１４２および蓋１４４を含む。蓋１４４は、本体部分１４２から取り外しができるか、または例えば一体蝶番により本体１４２へ蝶番付けされる。蓋１４４は、好ましくは、直立状に形成される蓋の１つ以上の壁部１４４ａにより生ずる周縁上に配置される指かけ突起（例えば図７で示される）を含む。壁部１４４ａおよび好ましくはドーム状に形成される屋根状部１４４ｂは、蓋に空洞１４４ｃを生ずる。
横方向の仕切り１４６は、本体を下方の本体部分１４２ａと上方の本体部分１４２ｂとに分ける。
【００７７】
細い棒が多くの方法で本体へ結合できることは理解すべきである。その場合、細い棒１４は、棒の頭部と一体となって形成できる。本発明のさらなる態様によれば、細い棒は、バイアルと結合するために、もしそのことが必要ならば、ねじすじを含む棒の頭部と一体に形成できる。棒の頭部および細い棒は、次に本体中へ圧入および／または接着される。その場合、仕切り１４６は、棒の頭部の頂部にある。
【００７８】
第１の構造上のタイプの塗布具では、取付台１４７は、好ましくは、仕切りと一体になって形成されそして下方の本体部分に突き出す。塗布ユニット１２を有する細い棒１４は、取付台に圧入されて耐久性のある接続を形成する。
【００７９】
第１の構造上のタイプの塗布具のバイアルを本発明の筐体１４０と結合するために、ねいすじ６３のようなねじすじ、例えば図３Ａおよび３Ｂに画かれたものは、筐体１４０の内部に設けられる。別の方法では、バイアルと筐体とを結合する他の手段例えばスナップ嵌合が筐体１４０に設けられる。
【００８０】
塗布具のタイプに関係なく、本発明の筐体１４０は空洞１４８を含む。空洞１４８は、仕切り１４６と本体１４２の上部の縁１４２ｃとの間で上方の本体部分に生ずる空間によって少なくとも画成される。本体１４２は、また指かけ１４２ｄを含み、それは、空洞１４８の容積を減らす本体１４２のくぼみとして形成される。
【００８１】
筐体１４０は、さらに駆動子１５０を含む。駆動子１５０は、触知できるユニット１５０ａ（外部の本体１４２上のスライドボタンなどとして形成される）および押し上げ具１５０ｂ（本体１４２の内部に配置された横方向の板または部分的な板として形成される）からなる。触知できるユニットおよび押し上げ具は、ともに剛く結合している。
【００８２】
当業者に周知のように、触知できるユニット１５０は、触知できるユニット１５０ａの下面に結合した単一の板または割板のデザインの何れかの重ね板ばねを有することができる。それゆえ、ばねは、本体１４２の外側に対して張力をかけ、そして本体の内側に対して把手の一部は駆動子の望ましくない動きに摩擦により抵抗する。望むとき、駆動子１５０は、ガイド１５２を移動して、筐体の末端の開口を通して化粧材１５４を上げる。
【００８３】
使用にあたって、１つ以上の化粧材１５４好ましくはパッドのパックは、蓋１４４を開けることにより空洞１４８中に挿入される。化粧材１５４は、目のメーキャップ落としのような化粧の目的に適した圧縮コットンスワブ、織ったまたは不織のパッドまたは任意の他のパッドである。化粧材は、またさらなる化粧材などによりコーティングされていてもよい。化粧材は、好ましくは上方の本体部分１４２ｂの空洞１４８の断面積に合う形状を有するように形成される。
【００８４】
化粧材のサイズは、多数の化粧材が空洞中に用意されそしてまた蓋の空洞１４４ｃを利用できるように選ばれる。
好ましくは、押し上げ具１５２ｂはパッド１５４の下に配置され、そして使用者に届くように一番上のパッドを上げる。使用者がパッドを取り扱うのを助けるために、それぞれのパッドは、その上のパッドよりも使用者の皮膚例えば人差し指へより強く接着する接着剤１５５を、使用者に面する側面１５４ａ上にコーティングしてもよい。
【００８５】
使用にあたって、使用者は、塗布具１０ｄを使用して、化粧品を身体に塗布する。不適当なまたは誤った塗布がなされたとき、使用者は、触知できるユニット１５０ａを押すことにより駆動子１５０を使用して、化粧材の１つが使用者に届くように上げられるまで、ばねおよびガイド中の駆動子の張力を減らす。
本発明は特定の態様について記述されてきたが、多くの交替、改変および変化が、前述から当業者に明らかであろうことを理解すべきである。
【符号の説明】
【００８６】
１０      塗布具
１０ａ    塗布具
１０ｃ    塗布具
１２      塗布ユニット
１４      細い棒
１４ａ    棒の頭部
１４ｂ    仕切り
１６      筐体
１８      空洞
１８ａ    空洞
２０      化粧材
２２      本体部分
２２ａ    ２２の縁
２４      蓋
２４ａ    ２４の縁
２４ｂ    ２４の端壁部
２４ｃ    屋根状部
２６      蝶番
２８      指かけ突起
３０      指かけ
３２      ねじすじ
３４      仕切り
４０      塗布具
４１      密着嵌め合い部品
４１ａ    部分
４２      塗布ユニット
４３      仕切り
４４      保持部分
４６      筐体
４８      空洞
６０      筐体
６２      本体部分
６２ａ    下方の本体部分
６２ｂ    上方の本体部分
６２ｃ    ６２の上部の縁
６２ｄ    指かけ
６３      ねじすじ
６４      蓋
６４ａ    指かけ突起
６４ｂ    縁
６４ｃ    壁部
６４ｄ    屋根状部
６４ｅ    空洞
６６      仕切り
６７      取付台
６８      空洞
７０      駆動子
７０ａ    触知できるユニット
７０ｂ    把手
７０ｃ    切欠
７２      ガイド
７４      化粧材
７６      開口
７８      緩衝材
８０      筐体
８２      本体
８２ａ    下方の本体部分
８２ｂ    上方の本体部分
８２ｃ    縁
８２ｄ    指かけ
８３      ねじすじ
８４      蓋
８４ａ    指かけ突起
８４ｂ    縁
８４ｃ    壁部
８４ｄ    屋根状部
８４ｅ    空洞
８５      一体蝶番
８６      仕切り
８７      取付台
８８      空洞
９０      パネル
９２      開口
９４      化粧材
９４ａ    パック
１００      筐体
１０１      本体
１０２      蓋
１０２ａ    １０２の縁
１０２ｂ    開口
１０２ｃ    シール
１０２ｄ    革ひも
１０４      化粧材
１２０      筐体
１２２      本体
１２２ａ    下方の本体部分
１２２ｂ    上方の本体部分
１２２ｃ    縁
１２４      蓋
１２６      仕切り
１２７      取付台
１２８      空洞
１３０      化粧材
１３０ａ    パック
１３２      開口
１３４      筒軸
１３４ａ    開口
１３４ｂ    ベアリング
１３６      溝
１４０      筐体
１４２      本体
１４２ａ    下方の本体部分
１４２ｂ    上方の本体部分
１４２ｃ    縁
１４２ｄ    指かけ
１４４      蓋
１４４ａ    壁部
１４４ｂ    屋根状部
１４４ｃ    空洞
１４６      仕切り
１４７      取付台
１４８      空洞
１５０      駆動子
１５０ａ    触知できるユニット
１５０ｂ    押し上げ具
１５２      ガイド
１５２ｂ    押し上げ具
１５４      化粧材
１５４ａ    １５４の側面
１５５      接着剤
【図１】
2010502392.tif 000003
【図２Ａ】
2010502392.tif 000004
【図２Ｂ】
2010502392.tif 000005
【図３Ａ】
2010502392.tif 000006
【図３Ｂ】
2010502392.tif 000007
【図４】
2010502392.tif 000008
【図５】
2010502392.tif 000009
【図６】
2010502392.tif 000010
【図７】
2010502392.tif 000011
【図８Ａ】
2010502392.tif 000012
【図８Ｂ】
2010502392.tif 000013
【図９】
2010502392.tif 000014
【図１０】
2010502392.tif 000015
【図１１】
2010502392.tif 000016
【図１２】
2010502392.tif 000017
【図１３】
2010502392.tif 000018
【図１４】
2010502392.tif 000019
【図１５】
2010502392.tif 000020
【図１６】
2010502392.tif 000021
【国際調査報告】
2010502392.tif 000022